(57)【要約】【課題】白筋の発生を抑制する。【解決手段】インクジェット記録装置１００は、記録ヘッド３４とヘッドベース３５とを備える。記録ヘッド３４は、第１記録ヘッド３４１、第２記録ヘッド３４２、第３記録ヘッド３４３及び第４記録ヘッド３４４を備える。第１記録ヘッド３４１〜第４記録ヘッド３４４の各々は、３つの分割記録ヘッドを有する。分割記録ヘッドは、用紙Ｐにインクを吐出する。ヘッドベース３５は、１２個の分割記録ヘッドを支持する。１２個の分割記録ヘッドのうち、１つの分割記録ヘッドが基準ヘッド３４Ａに選定されている。１２個の分割記録ヘッドのうち基準ヘッド３４Ａ以外の分割記録ヘッドの長手方向が基準ヘッド３４の長手方向と平行になるように、基準ヘッド３４Ａ以外の分割記録ヘッドの長手方向が配置されている。基準ヘッド３４Ａの長手方向が用紙Ｐの搬送方向Ｄ１と直交するように、ヘッドベース３４が配置されている。【選択図】図２
2019034497.tif 000002
【特許請求の範囲】
【請求項１】
記録媒体にインクを吐出する複数の記録ヘッドと
前記複数の記録ヘッドを支持するヘッドベースと
を備え、
前記複数の記録ヘッドのうち、１つの記録ヘッドが基準ヘッドに選定されており、
前記複数の記録ヘッドのうち前記基準ヘッド以外の記録ヘッドの長手方向が前記基準ヘッドの長手方向と平行になるように、前記基準ヘッド以外の記録ヘッドが配置されており、
前記基準ヘッドの長手方向が前記記録媒体の搬送方向と直交するように、前記ヘッドベースが配置されている、インクジェット記録装置。
【請求項２】
前記複数の記録ヘッドは、第１色のインクを吐出する第１記録ヘッドと、第２色のインクを吐出する第２記録ヘッドと、第３色のインクを吐出する第３記録ヘッドと、第４色のインクを吐出する第４記録ヘッドとを含み、
前記第１記録ヘッド、前記第２記録ヘッド、前記第３記録ヘッド及び前記第４記録ヘッドの各々は、複数の分割記録ヘッドを含み、
前記第１色、前記第２色、前記第３色、及び前記第４色は、互いに相違し、
前記複数の分割記録ヘッドは、前記記録媒体の搬送方向と直交する方向に沿って配列される、請求項１に記載のインクジェット記録装置。
【請求項３】
前記複数の記録ヘッドの各々の長手方向の方向を調整する第１調整部材を更に備え、
前記第１調整部材は、第１支持部材と第１固定部材とを有し、
前記第１支持部材は、前記複数の記録ヘッドの各々の長手方向の一方端を、前記ヘッドベースに対して垂直な軸を中心に回動可能に支持し、
前記第１固定部材は、前記複数の記録ヘッドの各々の長手方向の他方端の位置を、前記記録媒体の搬送方向と略平行な方向に調整可能に構成され、前記他方端を前記ヘッドベースに固定する、請求項１又は請求項２に記載のインクジェット記録装置。
【請求項４】
前記複数の記録ヘッド、及び前記ヘッドベースを収容する筐体と、
前記ヘッドベースの位置を調整する第２調整部材と
を更に備え、
前記第２調整部材は、第２支持部材と第２固定部材とを有し、
前記第２支持部材は、前記ヘッドベースの前記記録媒体の搬送方向と直交する方向の一方端を、前記記録媒体の載置面に対して垂直な軸を中心に回動可能に支持し、
前記第２固定部材は、前記ヘッドベースの前記記録媒体の搬送方向と直交する方向の他方端を、前記記録媒体の搬送方向と略平行な方向に調整可能に構成され、前記他方端を前記筐体に固定する、請求項１から請求項３のいずれか１項に記載のインクジェット記録装置。
【請求項５】
記録媒体にインクを吐出する複数の記録ヘッドと
前記複数の記録ヘッドを支持するヘッドベースと
を備えるインクジェット記録装置における記録ヘッドの位置調整方法であって、
前記複数の記録ヘッドのうち、１つの記録ヘッドを基準ヘッドに選定する選定工程と、
前記複数の記録ヘッドのうち前記基準ヘッド以外の記録ヘッドの長手方向が前記基準ヘッドの長手方向と平行になるように、前記基準ヘッド以外の記録ヘッドの長手方向を配置する第１配置工程と、
前記基準ヘッドの長手方向が前記記録媒体の搬送方向と直交するように、前記ヘッドベースを配置する第２配置工程と
を含む、記録ヘッドの位置調整方法。
【請求項６】
前記複数の記録ヘッドのうち、少なくとも１つの記録ヘッドからインクを吐出して、前記記録媒体に特定画像を形成する形成工程を更に含み、
前記第２配置工程において、前記特定画像に基づいて、前記ヘッドベースを配置し、
前記特定画像は、前記記録媒体の搬送方向に平行な方向に延びた第１画像と、前記記録媒体の搬送方向と直交する方向に延びた第２画像とを含む、請求項５に記載の記録ヘッドの位置調整方法。
【発明の詳細な説明】
【技術分野】
【０００１】
本発明は、インクジェット記録装置、及び記録ヘッドの位置調整方法に関する。
【背景技術】
【０００２】
特許文献１に記載のインクジェット記録装置は、複数のヘッドユニットを備える。複数のヘッドユニットの各々は、複数のラインヘッドから構成される。複数のヘッドユニットを記録媒体の幅方向に移動させることで、複数のヘッドユニットの幅方向における重なり合いを調整する。
【先行技術文献】
【特許文献】
【０００３】
【特許文献１】特開２００３−１２７３５２号公報
【発明の概要】
【発明が解決しようとする課題】
【０００４】
しかしながら、特許文献１に記載のインクジェット記録装置では、複数のラインヘッドを互いに平行に配置することが困難である。また、１つのラインヘッドの他のラインヘッドに対する傾きが大きい場合には、白筋が発生する可能性がある。
【０００５】
本発明は、上記課題に鑑みてなされたものであり、白筋の発生を抑制可能なインクジェット記録装置、及び記録ヘッドの位置調整方法を提供することを目的としている。
【課題を解決するための手段】
【０００６】
本発明に係るインクジェット記録装置は、複数の記録ヘッドとヘッドベースとを備える。前記複数の記録ヘッドは、記録媒体にインクを吐出する。前記ヘッドベースは、前記複数の記録ヘッドを支持する。前記複数の記録ヘッドのうち、１つの記録ヘッドが基準ヘッドに選定されている。前記複数の記録ヘッドのうち前記基準ヘッド以外の記録ヘッドの長手方向が前記基準ヘッドの長手方向と平行になるように、前記基準ヘッド以外の記録ヘッドの長手方向が配置されている。前記基準ヘッドの長手方向が前記記録媒体の搬送方向と直交するように、前記ヘッドベースが配置されている。
【０００７】
本発明に係る記録ヘッドの位置調整方法は、選定工程と第１配置工程と第２配置工程とを含む。インクジェット記録装置は、複数の記録ヘッドとヘッドベースとを備える。前記複数の記録ヘッドは、記録媒体にインクを吐出する。前記ヘッドベースは、前記複数の記録ヘッドを支持する。前記選定工程では、前記複数の記録ヘッドのうち、１つの記録ヘッドを基準ヘッドに選定する。前記第１配置工程では、前記複数の記録ヘッドのうち前記基準ヘッド以外の記録ヘッドの長手方向が前記基準ヘッドの長手方向と平行になるように、前記基準ヘッド以外の記録ヘッドの長手方向を配置する。前記第２配置工程では、前記基準ヘッドの長手方向が前記記録媒体の搬送方向と直交するように、前記ヘッドベースを配置する。
【発明の効果】
【０００８】
本発明に係るインクジェット記録装置、及び記録ヘッド位置調整方法によれば、白筋の発生を抑制できる。
【図面の簡単な説明】
【０００９】
【図１】本実施形態に係るインクジェット記録装置の構成を示す側面図である。
【図２】ヘッド部の構成を示す平面図である。
【図３】記録ヘッドの位置の調整方法を示すフローチャートである。
【図４】第１調整部材の構成を示す平面図である。
【図５】第１固定部材の構成を示す図である。（ａ）第１固定部材を示す斜視図である。（ｂ）第１固定部材のＶＢ−ＶＢ断面図である。
【図６】ヘッドベースの筐体への取り付け状態を示す斜視図である。
【図７】第２固定部材の構成を示す平面図である。
【図８】特定画像を示す図である。
【発明を実施するための形態】
【００１０】
以下、本発明の実施形態について、図面（図１〜図８）を参照しながら説明する。なお、図中、同一又は相当部分については同一の参照符号を付して説明を繰り返さない。
【００１１】
まず、図１を参照して、本実施形態に係るインクジェット記録装置１００について説明する。図１は、インクジェット記録装置１００の構成を示す側面図である。図１には、互いに直交するＸ軸、Ｙ軸及びＺ軸を記載している。Ｚ軸は、鉛直方向に沿って延びる。Ｘ軸及びＹ軸は、水平方向に沿って延びる。
【００１２】
図１に示すように、インクジェット記録装置１００は、筐体１、給送部２、画像形成部３、用紙搬送部４及び排出部５を備える。筐体１は、給送部２、画像形成部３、用紙搬送部４及び排出部５を収容する。筐体１は、排出口１１を有する。
【００１３】
給送部２は、筐体１の内部の下方（Ｚ軸の負方向側）に配置される。給送部２は、給紙カセット２１、給紙ローラー２２、及びガイド板２３を備える。給紙カセット２１は、用紙Ｐを収納し、筐体１に着脱自在である。給送部２は、用紙Ｐを用紙搬送部４に給送する。用紙Ｐは、「記録媒体」の一例に相当する。
【００１４】
用紙搬送部４は、画像形成部３の一方側（Ｘ軸の負方向側）に配置される。用紙搬送部４は、用紙搬送路４１、第１搬送ローラー対４２、第２搬送ローラー対４３、及び、レジストローラー対４４を備える。レジストローラー対４４は、用紙Ｐを画像形成タイミングに合わせて画像形成部３に送出する。
【００１５】
画像形成部３は、給送部２の上方（Ｚ軸の正方向側）に配置される。画像形成部３は、用紙Ｐに画像を形成する。画像形成部３は、ヘッド部２００、搬送ベルト３２及び搬送ガイド３６を備える。ヘッド部２００は、記録ヘッド３４及びヘッドベース３５を備える。記録ヘッド３４は、第１記録ヘッド３４１、第２記録ヘッド３４２、第３記録ヘッド３４３及び第４記録ヘッド３４４を有する。第１記録ヘッド３４１〜第４記録ヘッド３４４は、「複数の記録ヘッド」の一例に相当する。
【００１６】
第１記録ヘッド３４１には、イエロー色のインクＫｙが収納される。イエロー色は、「第１色」の一例に相当する。第２記録ヘッド３４２には、ブラック色のインクＫｋが収納される。ブラック色は、「第２色」の一例に相当する。第３記録ヘッド３４３には、シアン色のインクＫｃが収納される。シアン色は、「第３色」の一例に相当する。第４記録ヘッド３４４には、マゼンタ色のインクＫｍが収納される。マゼンタ色は、「第４色」の一例に相当する。
【００１７】
ヘッドベース３５は、第１記録ヘッド３４１〜第４記録ヘッド３４４を支持する。ヘッドベース３５は、平板状に形成される。ヘッドベース３５は、Ｘ−Ｙ平面と平行に配置される。
【００１８】
搬送ベルト３２は、レジストローラー対４４から供給された用紙Ｐを、用紙Ｐの搬送方向Ｄ１に搬送する。用紙Ｐの搬送方向Ｄ１は、Ｘ軸の正方向と一致する。搬送ガイド３６は、画像形成部３の他方側（図１ではＸ軸の正方向側）に配置される。搬送ガイド３６は、搬送ベルト３２から排出される用紙Ｐを排出部５に案内する。
【００１９】
排出部５は、画像形成部３に対して用紙Ｐの搬送方向Ｄ１の下流側（Ｘ軸の正方向側）に配置される。排出部５は、排出ローラー対５１及び排出トレイ５２を備える。排出ローラー対５１は、用紙Ｐを、排出口１１を介して、筐体１の外部に排出する。排出トレイ５２には、排出ローラー対５１が排出した用紙Ｐが載置される。
【００２０】
次に、図１及び図２を参照して、ヘッド部２００の構成について説明する。図２は、ヘッド部２００の構成を示す平面図である。図２に示すように、第１記録ヘッド３４１は、分割記録ヘッド３４１ｆ、分割記録ヘッド３４１ｃ及び分割記録ヘッド３４１ｒを有する。分割記録ヘッド３４１ｆ、分割記録ヘッド３４１ｃ及び分割記録ヘッド３４１ｒは、「複数の分割記録ヘッド」の一例に相当する。
【００２１】
分割記録ヘッド３４１ｆ、分割記録ヘッド３４１ｃ及び分割記録ヘッド３４１ｒは、用紙Ｐの搬送方向Ｄ１と直交する方向（Ｙ軸方向）に沿って配列される。具体的には、分割記録ヘッド３４１ｆは、ヘッドベース３５においてＹ軸方向の負方向側に配置され、分割記録ヘッド３４１ｃは、ヘッドベース３５においてＹ軸方向の中央に配置され、分割記録ヘッド３４１ｒは、ヘッドベース３５においてＹ軸方向の正方向側に配置される。
【００２２】
第２記録ヘッド３４２は、分割記録ヘッド３４２ｆ、分割記録ヘッド３４２ｃ及び分割記録ヘッド３４２ｒを有する。分割記録ヘッド３４２ｆ、分割記録ヘッド３４２ｃ及び分割記録ヘッド３４２ｒは、「複数の分割記録ヘッド」の一例に相当する。
【００２３】
分割記録ヘッド３４２ｆ、分割記録ヘッド３４２ｃ及び分割記録ヘッド３４２ｒは、用紙Ｐの搬送方向Ｄ１と直交する方向（Ｙ軸方向）に沿って配列される。具体的には、分割記録ヘッド３４２ｆは、ヘッドベース３５においてＹ軸方向の負方向側に配置され、分割記録ヘッド３４２ｃは、ヘッドベース３５においてＹ軸方向の中央に配置され、分割記録ヘッド３４２ｒは、ヘッドベース３５においてＹ軸方向の正方向側に配置される。
【００２４】
第３記録ヘッド３４３は、分割記録ヘッド３４３ｆ、分割記録ヘッド３４３ｃ及び分割記録ヘッド３４３ｒを有する。分割記録ヘッド３４３ｆ、分割記録ヘッド３４３ｃ及び分割記録ヘッド３４３ｒは、「複数の分割記録ヘッド」の一例に相当する。
【００２５】
分割記録ヘッド３４３ｆ、分割記録ヘッド３４３ｃ及び分割記録ヘッド３４３ｒは、用紙Ｐの搬送方向Ｄ１と直交する方向（Ｙ軸方向）に沿って配列される。具体的には、分割記録ヘッド３４３ｆは、ヘッドベース３５においてＹ軸方向の負方向側に配置され、分割記録ヘッド３４３ｃは、ヘッドベース３５においてＹ軸方向の中央に配置され、分割記録ヘッド３４３ｒは、ヘッドベース３５においてＹ軸方向の正方向側に配置される。
【００２６】
第４記録ヘッド３４４は、分割記録ヘッド３４４ｆ、分割記録ヘッド３４４ｃ及び分割記録ヘッド３４４ｒを有する。分割記録ヘッド３４４ｆ、分割記録ヘッド３４４ｃ及び分割記録ヘッド３４４ｒは、「複数の分割記録ヘッド」の一例に相当する。
【００２７】
分割記録ヘッド３４４ｆ、分割記録ヘッド３４４ｃ及び分割記録ヘッド３４４ｒは、用紙Ｐの搬送方向Ｄ１と直交する方向（Ｙ軸方向）に沿って配列される。具体的には、分割記録ヘッド３４４ｆは、ヘッドベース３５においてＹ軸方向の負方向側に配置され、分割記録ヘッド３４４ｃは、ヘッドベース３５においてＹ軸方向の中央に配置され、分割記録ヘッド３４４ｒは、ヘッドベース３５においてＹ軸方向の正方向側に配置される。
【００２８】
ヘッド部２００は、第１調整部材６を更に備える。第１調整部材６は、１２個の分割記録ヘッド３４αβ（α＝１、２、３、４、β＝ｒ、ｃ、ｆ）の各々の長手方向の方向を調整する。第１調整部材６は、１２個の分割記録ヘッド３４αβの各々に配置される。第１調整部材６は、第１支持部材６１と第１固定構造６２とを有する。第１調整部材６については、図４及び図５を参照して詳細に説明する。また、１２個の分割記録ヘッド３４αβの各々は、「記録ヘッド」の一例に相当する。
【００２９】
ヘッド部２００は、第２調整部材７を更に備える。第２調整部材７は、筐体１に対するヘッドベース３５の位置を調整する。第２調整部材７は、第２支持部材７１と第２固定構造７２とを有する。第２調整部材７については、図６及び図７を参照して詳細に説明する。
【００３０】
次に、図１〜図３を参照して、記録ヘッド３４の位置の調整方法について説明する。図３は、記録ヘッド３４の位置の調整方法を示すフローチャートである。
図３に示すように、まず、ステップＳ１０１において、基準ヘッド３４Ａを選定する。具体的には、１２個の分割記録ヘッド３４αβ（α＝１、２、３、４、β＝ｒ、ｃ、ｆ）の中から、１つの分割記録ヘッドを基準ヘッド３４Ａに選定する。例えば、分割記録ヘッド３４２ｃを基準ヘッド３４Ａに選定する。
【００３１】
次に、ステップＳ１０３において、１２個の分割記録ヘッド３４αβ（α＝１、２、３、４、β＝ｒ、ｃ、ｆ）のうち基準ヘッド３４Ａ以外の分割記録ヘッドの長手方向が基準ヘッド３４Ａの長手方向と平行になるように、基準ヘッド３４Ａ以外の１１個の分割記録ヘッドを配置する。具体的には、第１調整部材６を用いて、基準ヘッド３４Ａ以外の１１個の分割記録ヘッドの長手方向を、基準ヘッド３４Ａの長手方向と平行になるように調整する。そして、第１調整部材６を用いて、基準ヘッド３４Ａ以外の１１個の分割記録ヘッドをヘッドベース３５に固定する。
【００３２】
次に、ステップＳ１０５において、１２個の分割記録ヘッド３４αβ（α＝１、２、３、４、β＝ｒ、ｃ、ｆ）のうち少なくとも１つの分割記録ヘッドからインクを吐出して、特定画像Ｍを用紙Ｐに形成する。例えば、基準ヘッド３４Ａから、インクを吐出して、特定画像Ｍを用紙Ｐに形成する。特定画像Ｍについては、図８を参照して詳細に説明する。
【００３３】
次に、ステップＳ１０７において、基準ヘッド３４Ａの長手方向が用紙Ｐの搬送方向Ｄ１と直交するようにヘッドベース３５を配置し、記録ヘッド３４の位置の調整が終了する。具体的には、特定画像Ｍに基づいて、第２調整部材７を用いて、基準ヘッド３４Ａの長手方向が用紙Ｐの搬送方向Ｄ１と直交するようにヘッドベース３５の位置を調整する。そして、第２調整部材７を用いて、ヘッドベース３５を筐体１に固定する。
【００３４】
ステップＳ１０１が、「選定工程」の一例に相当する。ステップＳ１０３が、「第１配置工程」の一例に相当する。ステップＳ１０５が、「形成工程」の一例に相当する。ステップＳ１０７が「第２配置工程」の一例に相当する。
【００３５】
以上、図１〜図３を参照して説明したように、本発明の実施形態では、１２個の分割記録ヘッド３４αβ（α＝１、２、３、４、β＝ｒ、ｃ、ｆ）のうち基準ヘッド３４Ａ以外の分割記録ヘッドの長手方向が基準ヘッド３４Ａの長手方向と平行になるように、基準ヘッド３４Ａ以外の１１個の分割記録ヘッドが配置される。よって、１２個の分割記録ヘッド３４αβの長手方向を互いに平行に配置できる。また、基準ヘッド３４Ａの長手方向が用紙Ｐの搬送方向Ｄ１と直交するように、ヘッドベース３５が配置されるため、１２個の分割記録ヘッド３４αβの長手方向が用紙Ｐの搬送方向Ｄ１と直交するように配置できる。したがって、１２個の分割記録ヘッド３４αβが適正な位置に配置されるため、白筋の発生を抑制できる。
【００３６】
なお、本発明の実施形態では、分割記録ヘッド３４２ｃを基準ヘッド３４Ａに選定したが、本発明はこれに限定されない。１２個の分割記録ヘッド３４αβ（α＝１、２、３、４、β＝ｒ、ｃ、ｆ）のうち１つの分割記録ヘッドを基準ヘッド３４Ａに選定すればよい。
【００３７】
また、基準ヘッド３４Ａとして、ヘッドベース３５においてＹ軸方向の略中央に配置され、且つ、ヘッドベース３５においてＸ軸方向の略中央に配置される分割記録ヘッドを選定することが好ましい。このようにして、基準ヘッド３４Ａを選定することによって、基準ヘッド３４Ａ以外の１１個の分割記録ヘッドと基準ヘッド３４Ａとの間の距離の最大値を短くすることができる。したがって、基準ヘッド３４Ａ以外の１１個の分割記録ヘッドの長手方向を、基準ヘッド３４Ａの長手方向と平行になるように調整し易くなる。
【００３８】
次に、図２、図４及び図５を参照して、第１調整部材６の構成について説明する。図４は、第１調整部材６の構成を示す平面図である。第１調整部材６は、第１支持部材６１と第１固定構造６２とを有する。第１固定構造６２は、「第１固定部材」の一例に相当する。
【００３９】
図２に示す１２個の分割記録ヘッド３４αβ（α＝１、２、３、４、β＝ｒ、ｃ、ｆ）は、互いに略同一の構成を有するため、以下の説明では、分割記録ヘッド３４４ｃについて説明し、他の分割記録ヘッドについての説明は省略する。
【００４０】
図４に示すように、分割記録ヘッド３４４ｃは、Ｙ軸方向に沿って延びる。すなわち、分割記録ヘッド３４４ｃの長手方向は、Ｙ軸方向と略平行である。第１支持部材６１は、分割記録ヘッド３４４ｃの長手方向の一方端（Ｙ軸の正方向端）を、ヘッドベース３５に対して回動可能に支持する。具体的には、第１支持部材６１は、略円柱状の回転軸６１１を備える。回転軸６１１は、Ｚ軸方向と平行にヘッドベース３５に配置される。分割記録ヘッド３４４ｃは、回転軸６１１を中心として、ヘッドベース３５に回動可能に支持される。
【００４１】
第１固定構造６２は、分割記録ヘッド３４４ｃの長手方向の他方端（Ｙ軸の負方向端）の位置を、方向Ｄ２に調整可能に構成される。具体的には、方向Ｄ２は、回転軸６１１を中心として分割記録ヘッド３４４ｃが回動するときの、分割記録ヘッド３４４ｃの長手方向の他方端の回動方向を示す。また、第１固定構造６２は、分割記録ヘッド３４４ｃの長手方向の他方端をヘッドベース３５に固定する。
【００４２】
図５は、第１固定構造６２の構成を示す図である。図５（ａ）は、第１固定構造６２を示す斜視図である。図５（ｂ）は、第１固定構造６２のＶＢ−ＶＢ断面図である。図５（ａ）に示すように、第１固定構造６２は、調整部材６２１、支持部材６２２、移動部材６２４、当接部材６２５及び板状部材６２６を備える。
【００４３】
当接部材６２５は、分割記録ヘッド３４４ｃの長手方向の他方端（Ｙ軸の負方向端）に固定されている。また、当接部材６２５は、方向Ｆ１（Ｘ軸の正方向）に付勢されている。板状部材６２６は、ヘッドベース３５に固定されている。
【００４４】
図５（ｂ）に示すように、第１固定構造６２は、更に昇降部材６２３を備える。調整部材６２１は、ネジ状に形成された部材である。調整部材６２１の中心軸は、Ｚ軸方向に沿って配置される。調整部材６２１は、分割記録ヘッド３４４ｃの長手方向の他方端（Ｙ軸の負方向端）の位置を調整する場合に、ユーザーによって回転される。
【００４５】
支持部材６２２は、板状の部材であって、Ｙ−Ｚ平面に沿って配置される。具体的には、支持部材６２２は、板状部材６２６に固定される。すなわち、支持部材６２２は、板状部材６２６を介してヘッドベース３５に固定される。また、支持部材６２２は、昇降部材６２３の一方端（Ｘ軸の正方向端）を摺動自在に支持する。
【００４６】
昇降部材６２３は、調整部材６２１と螺合するネジ孔を有し、調整部材６２１の回転に応じて、方向Ｄ４（Ｚ軸方向）に昇降する。昇降部材６２３の一方端（Ｘ軸の正方向端）は、支持部材６２２の一方側（Ｘ軸の負方向側）の側面に対して摺動する。昇降部材６２３の他方端（Ｘ軸の負方向端）は、移動部材６２４の一方側（Ｘ軸の正方向側）の側面に対して摺動する。
【００４７】
移動部材６２４は、昇降部材６２３と当接部材６２５との間に配置され、昇降部材６２３の昇降に応じて方向Ｄ５（Ｘ軸方向）に移動する。具体的には、昇降部材６２３が下降すると、移動部材６２４はＸ軸の負方向に移動する。また、昇降部材６２３が上昇すると、移動部材６２４はＸ軸の正方向に移動する。
【００４８】
次に、第１固定構造６２の動作について説明する。ユーザーが調整部材６２１を所定方向（例えば、時計回り）に回転すると、昇降部材６２３がＺ軸の負方向に移動する。そして、移動部材６２４のＸ軸の正方向側の端面がＺ軸の負方向に向けてＸ軸の正方向に（左斜め下方向に）傾斜しているため、昇降部材６２３のＺ軸の負方向への移動に応じて、移動部材６２４が、Ｘ軸の負方向に移動する。そして、当接部材６２５がＸ軸の負方向に移動し、分割記録ヘッド３４４ｃの長手方向の他方端がＸ軸の負方向に移動する。
【００４９】
また、ユーザーが調整部材６２１を反時計回りに回転すると、昇降部材６２３がＺ軸の正方向に移動する。そして、昇降部材６２３のＺ軸の正方向への移動に応じて、移動部材６２４が、Ｘ軸の正方向に移動する。そして、当接部材６２５がＸ軸の正方向に移動し、分割記録ヘッド３４４ｃの長手方向の他方端がＸ軸の正方向に移動する。
【００５０】
また、調整部材６２１が回転しない場合には、調整部材６２１、支持部材６２２、昇降部材６２３及び移動部材６２４は、一体として、板状部材６２６を介してヘッドベース３５に固定されている。また、当接部材６２５は、方向Ｆ１（Ｘ軸の正方向）に付勢されている。よって、当接部材６２５は、移動部材６２４に当接した状態で固定される。したがって、第１固定構造６２は、分割記録ヘッド３４４ｃの長手方向の他方端をヘッドベース３５に固定する。
【００５１】
以上、図２、図４及び図５を参照して説明したように、本発明の実施形態では、ユーザーは、調整部材６２１を回転することによって分割記録ヘッド３４４ｃの長手方向の他方端（Ｙ軸の負方向端）の位置を調整できる。例えば、インクジェット記録装置１００の製造工程では、分割記録ヘッド３４４ｃの位置をビデオカメラで観察して、基準ヘッド３４Ａと平行になっているかどうかを確認する。また、例えば、ユーザーが使用している際（インクジェット記録装置１００を出荷後）は、確認用の画像を用紙Ｐに形成して、分割記録ヘッド３４４ｃが基準ヘッド３４Ａと平行になっているかどうかを確認する。したがって、分割記録ヘッド３４４ｃの長手方向を基準ヘッド３４Ａと平行な方向に容易に配置できる。
【００５２】
また、調整部材６２１の回転を停止することによって、当接部材６２５は、移動部材６２４に当接した状態で固定される。したがって、第１固定構造６２は、分割記録ヘッド３４４ｃの長手方向の他方端を固定できる。
【００５３】
なお、本発明の実施形態では、第１支持部材６１を分割記録ヘッド３４４ｃの長手方向の一方端（Ｙ軸の正方向端）に配置し、第１固定構造６２を分割記録ヘッド３４４ｃの長手方向の他方端（Ｙ軸の負方向端）に配置したが、本発明はこれに限定されない。第１支持部材６１を分割記録ヘッド３４４ｃの長手方向の他方端に配置し、第１固定構造６２を分割記録ヘッド３４４ｃの長手方向の一方端に配置してもよい。
【００５４】
次に、図２、図６及び図７を参照して、第２調整部材７の構成について説明する。図６は、ヘッドベース３５の筐体１への取り付け状態を示す斜視図である。図６に示すように、筐体１は、側板１２ｒ及び側板１２ｆを更に備える。
【００５５】
側板１２ｒは、板状に形成され、筐体１においてＹ軸の正方向側に、Ｘ−Ｚ平面と平行に配置される。側板１２ｒは、ヘッドベース３５の一方端（Ｙ軸の正方向端）を支持する。
【００５６】
側板１２ｆは、板状に形成され、筐体１においてＹ軸の負方向側に、Ｘ−Ｚ平面と平行に配置される。側板１２ｆは、ヘッドベース３５の他方端（Ｙ軸の負方向端）を支持する。
【００５７】
第２調整部材７は、第２支持部材７１と第２固定構造７２とを有する。第２固定構造７２は、「第２固定部材」の一例に相当する。
【００５８】
第２支持部材７１は、ヘッドベース３５と側板１２ｒとの間に配置される。第２支持部材７１は、側板１２ｒに対して、ヘッドベース３５を回動自在に支持する。具体的には、第２支持部材７１は、略円柱状の回転軸７１１を備える。回転軸７１１は、Ｚ軸方向と平行に側板１２ｒに配置される。ヘッドベース３５は、回転軸７１１を中心として、側板１２ｒに回動可能に支持される。
【００５９】
第２固定構造７２は、ヘッドベース３５の他方端（Ｙ軸方向の負方向端）を、方向Ｄ３に調整可能に構成される。方向Ｄ３は、回転軸７１１を中心としてヘッドベース３５が回動するときの、ヘッドベース３５の他方端の回動方向を示す。また、第２固定構造７２は、ヘッドベース３５の他方端を側板１２ｆに固定する。
【００６０】
図７は、第２固定構造７２の構成を示す平面図である。図７に示すように、第２固定構造７２は、第１板状部材７２０、調整部材７２１、移動部材７２２、第２板状部材７２３及び係止部材７２４を備える。
【００６１】
第１板状部材７２０は、板状の部材であり、側板１２ｆに固定される。第１板状部材７２０は、Ｘ−Ｚ平面に平行に配置される。
【００６２】
調整部材７２１は、円柱状に形成され、外周囲に歯（円筒ウォーム）が形成された部材である。調整部材７２１の中心軸は、Ｙ軸方向に沿って配置される。調整部材７２１は、ヘッドベース３５の他方端（Ｙ軸方向の負方向端）の位置を調整する場合に、ユーザーによって回転される。
【００６３】
移動部材７２２は、円柱状に形成され、外周面にハス歯が形成された部材である。移動部材７２２の中心軸は、Ｘ軸方向に沿って配置される。移動部材７２２と調整部材７２１とは、いわゆる「ウォームギア」を構成している。すなわち、調整部材７２１が回転すると、移動部材７２２は方向Ｄ６（Ｘ軸方向）に沿って移動する。
【００６４】
第２板状部材７２３は、板状の部材であり、係止部材７２４と一体に形成される。第２板状部材７２３は、ヘッドベース３５の他方端（Ｙ軸方向の負方向端）の端面にＸ軸方向に沿って固定される。第２板状部材７２３の一方端（Ｘ軸の負方向端）は、移動部材７２２に当接する。第２板状部材７２３の他方端（Ｘ軸の正方向端）は、方向Ｆ２（Ｘ軸の負方向）に付勢されている。
【００６５】
係止部材７２４は、円柱状の部材であり、ヘッドベース３５の他方端に固定される。具体的には、ヘッドベース３５の他方端（Ｙ軸方向の負方向端）には、Ｙ軸方向に延びる円筒状の孔が形成されている。係止部材７２４は、ヘッドベース３５の他方端に形成された孔に挿入されて、ヘッドベース３５に固定されている。すなわち、第２板状部材７２３と係止部材７２４とは、ヘッドベース３５と一体に構成される。
【００６６】
次に、第２固定構造７２の動作について説明する。ユーザーが調整部材７２１を所定方向（例えば、時計回り）に回転させると、移動部材７２２がＸ軸の正方向に移動する。そして、移動部材７２２のＸ軸の正方向への移動に応じて、第２板状部材７２３及び係止部材７２４がＸ軸の正方向への移動し、ヘッドベース３５の他方端がＸ軸の正方向へ移動する。
【００６７】
また、ユーザーが調整部材７２１を反時計回りに回転させると、移動部材７２２がＸ軸の負方向に移動する。また、第２板状部材７２３は方向Ｆ２（Ｘ軸の負方向）に付勢されているため、移動部材７２２のＸ軸の負方向への移動に応じて、第２板状部材７２３及び係止部材７２４が、Ｘ軸の負方向に移動する。そして、ヘッドベース３５の他方端（Ｙ軸方向の負方向端）がＸ軸の負方向へ移動する。
【００６８】
また、調整部材７２１が回転されない場合には、調整部材７２１及び移動部材７２２は、一体として、第１板状部材７２０を介して側板１２ｆに固定されている。また、第２板状部材７２３は、方向Ｆ２（Ｘ軸の負方向）に付勢されている。よって、第２板状部材７２３は、移動部材７２２に当接した状態で固定される。したがって、第２固定構造７２は、ヘッドベース３５の他方端（Ｙ軸方向の負方向端）を側板１２ｆに固定する。
【００６９】
以上、図２、図６及び図７を参照して説明したように、本発明の実施形態では、ユーザーは調整部材７２１を回転させることによって、ヘッドベース３５の他方端（Ｙ軸方向の負方向端）の位置を調整できる。したがって、基準ヘッド３４Ａの長手方向が用紙Ｐの搬送方向Ｄ１と直交するように、ヘッドベース３５を容易に配置できる。
【００７０】
また、調整部材７２１の回転を停止することによって、第２板状部材７２３は、移動部材７２２に当接した状態で固定される。したがって、第２固定構造７２は、ヘッドベース３５の他方端を側板１２ｆに固定できる。
【００７１】
なお、本発明の実施形態では、第２支持部材７１をヘッドベース３５の一方端（Ｙ軸方向の正方向端）に配置し、第２固定構造７２をヘッドベース３５の他方端（Ｙ軸方向の負方向端）に配置したが、本発明はこれに限定されない。第２支持部材７１をヘッドベース３５の他方端に配置し、第２固定構造７２をヘッドベース３５の一方端に配置してもよい。
【００７２】
次に、図１〜図３及び図６〜図８を参照して、ヘッドベース３５の位置の調整方法について詳細に説明する。図８は、特定画像Ｍを示す図である。図８に示すように、特定画像Ｍは、第１画像Ｍ１と、第２画像Ｍ２とを含む。
【００７３】
第１画像Ｍ１は、用紙Ｐの搬送方向Ｄ１に平行な方向に延びる。具体的には、第１画像Ｍ１は、用紙Ｐの搬送方向Ｄ１に平行な方向に延びた線状の画像である。第２画像Ｍ２は、基準ヘッド３４Ａの長手方向と平行な線状の画像である。角θは、第１画像Ｍ１と第２画像Ｍ２とのなす角を示す。
【００７４】
また、図３を参照して説明したように、特定画像Ｍに基づいて、基準ヘッド３４Ａの長手方向が用紙Ｐの搬送方向Ｄ１と直交するようにヘッドベース３５の位置を調整する。
【００７５】
具体的には、第１画像Ｍ１は、用紙Ｐの搬送方向Ｄ１に平行に形成される。また、第２画像Ｍ２は、基準ヘッド３４Ａの長手方向と平行に形成される。例えば、角θが鋭角である場合には、ユーザーは調整部材７２１（図８参照）を所定方向（例えば、時計回り）に回転させることによって、ヘッドベース３５の他方端をＸ軸の正方向へ移動させる。そして、角θを増大させることができる。
【００７６】
また、例えば、角θが鈍角である場合には、ユーザーは調整部材７２１を反時計回りに回転させることによって、ヘッドベース３５の他方端をＸ軸の負方向へ移動させる。そして、角θを減少させることができる。このようにして、ユーザーは、調整部材７２１を回転させることによって、角θが直角になるようにヘッドベース３５の他方端（Ｙ軸方向の負方向端）の位置を調整できる。
【００７７】
以上、図１〜図３及び図６〜図８を参照して説明したように、本発明の実施形態では、第１画像Ｍ１と第２画像Ｍ２とが直交するように（角θが直角になるように）ヘッドベース３５を配置することによって、基準ヘッド３４Ａの長手方向が用紙Ｐの搬送方向Ｄ１と直交するようにヘッドベース３５の位置を調整できる。したがって、ヘッドベース３５の位置を容易に調整できる。
【００７８】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００７９】
（１）本実施形態では、図１及び図２を参照して説明したように、インクジェット記録装置１００の記録ヘッドの個数は４つ（第１記録ヘッド３４１〜第４記録ヘッド３４４）であるが、本発明はこれに限定されない。インクジェット記録装置１００の記録ヘッドの個数は複数であればよい。例えば、インクジェット記録装置１００の記録ヘッドの個数が、２つでもよいし、３つでもよい。また、例えば、インクジェット記録装置１００の記録ヘッドの個数が、５つ以上でもよい。
【００８０】
（２）本実施形態では、図１及び図２を参照して説明したように、本発明の実施形態では、第１記録ヘッド３４１〜第４記録ヘッド３４４の各々は、３つの分割記録ヘッドから構成されるが、本発明はこれに限定されない。第１記録ヘッド３４１〜第４記録ヘッド３４４の各々が、複数の分割記録ヘッドに分かれていなくてもよい。また、第１記録ヘッド３４１〜第４記録ヘッド３４４の各々が、複数の分割記録ヘッドに分かれていてもよい。更に、第１記録ヘッド３４１〜第４記録ヘッド３４４の各々が、２つの分割記録ヘッドから構成されてもよいし、第１記録ヘッド３４１〜第４記録ヘッド３４４の各々が、４つ以上の分割記録ヘッドから構成されてもよい。
【産業上の利用可能性】
【００８１】
本発明は、インクジェット記録装置、及び記録ヘッド位置調整方法に関するものであり、産業上の利用可能性を有する。
【符号の説明】
【００８２】
１００    インクジェット記録装置
１    筐体
１２ｆ、１２ｒ    側板
３    画像形成部
３２    搬送ベルト
２００    ヘッド部
３４（３４１、３４２、３４３、３４４）    記録ヘッド
３４１ｆ、３４１ｃ、３４１ｒ、３４２ｆ、３４２ｃ、３４２ｒ、３４３ｆ、３４３ｃ、３４３ｒ、３４４ｆ、３４４ｃ、３４４ｒ    分割記録ヘッド（記録ヘッド）
３５    ヘッドベース
６    第１調整部材
６１    第１支持部材
６２    第１固定構造（第１固定部材）
７    第２調整部材
７１    第２支持部材
７２    第２固定構造（第２固定部材）
Ｐ    用紙
Ｍ    特定画像
Ｍ１    第１画像
Ｍ２    第２画像
【図１】
2019034497.tif 000003
【図２】
2019034497.tif 000004
【図３】
2019034497.tif 000005
【図４】
2019034497.tif 000006
【図５】
2019034497.tif 000007
【図６】
2019034497.tif 000008
【図７】
2019034497.tif 000009
【図８】
2019034497.tif 000010